(57)【特許請求の範囲】
【請求項１】
導電性を有する金属板から形成される金属溶断部材を備え、取り付け相手先の取り付け部に着脱可能に保持されるヒュージブルリンクと、該ヒュージブルリンクの前記金属溶断部材に接続される複数の外部端子と、の接続構造であって、
前記金属溶断部材は、過大電流により溶断して回路を開放する溶断部と、該溶断部に連続する第一導体部と、該第一導体部とは別に前記溶断部に連続する第二導体部と、を有し、
前記取り付けスペースには、平面中央に位置し、貫通された孔よりなるハウジング収容空間を介して該ハウジング収容空間に同一平面に長手方向の一側に連通された一方の装着空間に略円柱状の基部がスライドされて保持される雄ネジを有する第一接続部材と、前記ハウジング収容空間に同一平面に長手方向の他側に連通された他方の装着空間に基部がスライド装着されて保持される雌ネジを有する第二接続部材と、を備え、
且つ、前記第一導体部又は前記第二導体部の何れか一方に、前記第一接続部材の前記雄ネジを挿通して端子接続用のナットを螺合させるとともに、前記一方に対する他方に、前記第二接続部材の前記雌ネジに螺合する端子接続用のボルトを挿通し、
前記取り付け部の前記外部端子の挿入側に設けた隔壁に連続する一対の保持壁が形成され、
該保持壁間に設けた収容空間内に前記外部端子の一部が差し込まれることを特徴とする、
ヒュージブルリンクと外部端子の接続構造。
【発明の詳細な説明】
【０００１】
【発明の属する技術分野】
本発明は、ヒュージブルリンクと、これに接続される外部端子との接続構造に関する。
【０００２】
【従来の技術】
この種の接続構造としては、図９に示されるようなものが一般的に知られている。先ず、構成を説明し、次いで接続に関して説明する。
【０００３】
図９において、引用符号１は既知のヒュージブルリンクを示している。そのヒュージブルリンク１は、取り付け相手先２の取り付け部３に着脱可能に保持されている。
【０００４】
ヒュージブルリンク１は、図示しない溶断部を覆う合成樹脂製のケース４と、一対の端子５、５とで構成されている。一対の端子５、５には、それぞれボルト挿通孔（不図示）が形成されている。
【０００５】
取り付け部３は、ヒュージブルリンク１に対する収容凹部６を有しており、その収容凹部６の底壁７には、端子５、５に対する端子挿通孔８、８が形成されている。この端子挿通孔８、８に端子５、５を位置合わせし、ヒュージブルリンク１を収容凹部６の開口部分から底壁７へ向けて移動させると、端子挿通孔８、８に端子５、５が挿通され、図９に示されるような、ヒュージブルリンク１が取り付け部３に取り付けられた状態になる。
【０００６】
各端子挿通孔８、８の近傍であって取り付け部３の側部には、ナット嵌合部９、９がそれぞれ形成されている。ナット嵌合部９、９は、中間壁１０の表裏面に設けられており、ナット１１、１２がナット嵌合溝１３、１４を介して嵌入されている。引用符号１５、１６はナット嵌合溝１３、１４に対応して形成される座部を示している。
【０００７】
上記構成において、ヒュージブルリンク１の端子５、５に図示しない外部端子（板端子）が導通接続されるようになる。その図示しない外部端子は、ナット１１、１２と螺合する端子接続用のボルト１７、１８によって端子５、５の外側に締め付け固定されるようになる。
【０００８】
【発明が解決しようとする課題】
ところで上記従来技術にあっては、図示しない外部端子を導通接続する際に、次のようなことが懸念されていた。
即ち、端子５、５のどちら側に対してもボルトの締め付けで図示しない外部端子を接続するような接続構造になっていることから、その図示しない外部端子の接続位置を間違え（誤組み付け）てしまう恐れがあった。
【０００９】
尚、図９を参照すると、端子接続用のボルト１７、１８は、そのサイズが若干異なっていることが分かる。サイズ違いにより、接続位置を判断させることも可能ではあるが、作業性が悪くなってしまい、上述の懸念点に対する十分な対策にはならないと言える。
即ち、図９を参照する際の方向と同じ方向で作業する場合では、ボルト１７、１８の軸に直交する方向から作業することになるから、両方のボルト１７、１８の頭部を側方より視認することができ、サイズ違いを判断するのは容易となるものの、図示しない外部端子にボルト１７又は１８を挿通させて締め付け固定する作業は当然にやり難くなってしまうことになる。これに対し、例えばボルト１７の軸に沿って作業するようにすれば、ボルト１８側が見えなくなるので、この場合も作業は当然にやり難くなる。
【００１０】
従って、いずれの場合でも作業がやり難くなることから、上述の図示しない外部端子の接続位置の懸念点とともに、作業性に関しても改善する余地があると言える。
【００１１】
本発明は、上述した事情に鑑みてなされるもので、誤組み付けを防止し作業性の向上にも寄与するヒュージブルリンクと外部端子の接続構造を提供することを課題とする。
【００１２】
【課題を解決するための手段】
上記課題を解決するためになされた請求項１記載の本発明のヒュージブルリンクと外部端子の接続構造は、導電性を有する金属板から形成される金属溶断部材を備え、取り付け相手先の取り付け部に着脱可能に保持されるヒュージブルリンクと、該ヒュージブルリンクの前記金属溶断部材に接続される複数の外部端子と、の接続構造であって、前記金属溶断部材は、過大電流により溶断して回路を開放する溶断部と、該溶断部に連続する第一導体部と、該第一導体部とは別に前記溶断部に連続する第二導体部と、を有し、前記取り付けスペースには、平面中央に位置し、貫通された孔よりなるハウジング収容空間を介して該ハウジング収容空間に同一平面に長手方向の一側に連通された一方の装着空間に略円柱状の基部がスライドされて保持される雄ネジを有する第一接続部材と、前記ハウジング収容空間に同一平面に長手方向の他側に連通された他方の装着空間に基部がスライド装着されて保持される雌ネジを有する第二接続部材と、を備え、且つ、前記第一導体部又は前記第二導体部の何れか一方に、前記第一接続部材の前記雄ネジを挿通して端子接続用のナットを螺合させるとともに、前記一方に対する他方に、前記第二接続部材の前記雌ネジに螺合する端子接続用のボルトを挿通し、前記取り付け部の前記外部端子の挿入側に設けた隔壁に連続する一対の保持壁が形成され、該保持壁間に設けた収容空間内に前記外部端子の一部が差し込まれることを特徴としている。
【００１３】
請求項２記載の本発明のヒュージブルリンクと外部端子の接続構造は、請求項１に記載のヒュージブルリンクと外部端子の接続構造において、前記第一接続部材及び前記第二接続部材のそれぞれの基部を略同一平面上に配設したことを特徴としている。
【００１４】
請求項１に記載された本発明によれば、取り付けスペースには、平面中央に位置し、貫通された孔よりなるハウジング収容空間を介して該ハウジング収容空間に長手方向の一側に連通された一方の装着空間にスライドされて装着される第一接続部材の雄ネジと、前記ハウジング収容空間に長手方向の他側に連通された他方の装着空間にスライドされて装着される他方の第二接続部材の雌ネジとの基部を取り付けスペースに同一平面に装着している。外部端子をヒュージブルリンクに導通接続させるには、ヒュージブルリンクの第一導体部又は第二導体部の何れか一方に、第一接続部材の雄ネジを挿通させ、その雄ネジに端子接続用のナットを螺合させる。また、第一導体部又は第二導体部のいずれか他方に、第二接続部材の雌ネジに螺合する端子接続用のボルトを挿通し、そのボルトを雌ネジに螺合させる。端子接続用のナットと端子接続用のボルトがそれぞれ対応する外部端子を締め付けることにより、外部端子がヒュージブルリンクに接続固定される。以上のように、外部端子の接続には、端子接続用のナットと端子接続用のボルトが用いられ、しかもこの端子接続用のナットと端子接続用のボルトとは基部が取り付け部に同一平面にスライドされて装着されることから、外部端子の接続位置が明確になり、取付作業性が向上されるとともにボルトとナットとの外部端子に対する締付け操作が容易かつ確実になる。
しかも、取り付け部の外部端子の挿入側に設けた隔壁には、連続する一対の保持壁が形成され、該保持壁間に収容空間が設けられているので、該保持壁間の収容空間内に外部端子の一部を挿し込むことにより誤組み付けが防止される。
【００１５】
請求項２に記載された本発明によれば、外部端子をヒュージブルリンクに導通接続する際に、第一接続部材及び第二接続部材を視認しながら作業することが可能となる。
【００１６】
【発明の実施の形態】
以下、図面を参照して本発明の一実施の形態を説明する。
図１は本発明のヒュージブルリンクと外部端子の接続構造の一実施の形態を示しており、（ａ）は取り付け部に保持されたヒュージブルリンクに外部端子を接続した状態の平面図、（ｂ）は（ａ）の要部断面図である。
また、図２はヒュージブルリンクの取り付け相手先となる取り付け部を示しており、（ａ）は取り付け部の平面図、（ｂ）は（ａ）の要部断面図、図３は第一接続部材を示しており、（ａ）は第一接続部材の平面図、（ｂ）は第一接続部材の正面図、図４は第二接続部材を示しており、（ａ）は第二接続部材の平面図、（ｂ）は第二接続部材の正面図、図５はヒュージブルリンクの平面図（円内は溶断部付近の拡大図）である。
【００１７】
図１（ａ）又は図１（ｂ）において、ヒュージブルリンク２１に外部端子２２、２３を誤組み付けなく導通接続させるために採用したヒュージブルリンクと外部端子の接続構造は、取り付け部２４に保持したヒュージブルリンク２１の金属溶断部材２５を介して突出する雄ネジ２６に、端子接続用のナット２７を螺合させ、外部端子２２を金属溶断部材２５に対して導通状態に固定するとともに、端子接続用のボルト２８を外部端子２３及び金属溶断部材２５に挿通し、それを螺合させることにより、外部端子２３を金属溶断部材２５に対して導通状態に固定することを特徴としている。
【００１８】
以下、上記構成部材について説明する。先ず、取り付け部２４から説明することにする。
【００１９】
図２（ａ）又は図２（ｂ）において、上記取り付け部２４は、例えばリレーボックス３１の合成樹脂製のケース３２に設けられている。また、取り付け部２４は、ケース３２の隅部分において隔壁３３、３４により区画されている。引用符号３５、３６は補強壁を示している。
【００２０】
取り付け部２４は、ヒュージブルリンク２１（図１参照）の取り付け相手先であって、ヒュージブルリンク２１（図１参照）に対する取り付けスペース３７を有している。また、取り付け部２４の表面側には、隔壁３３、３４により、ヒュージブルリンク２１（図１参照）や外部端子２２、２３（図１参照）等に対する空間３８が形成されている。本形態においては、取り付け部２４を挟んだ逆側にも同様の空間３９が形成されている。さらにまた、取り付け部２４には、外部端子２２、２３（図１参照）に対する切り欠き部４０、４１が形成されている。
【００２１】
取り付けスペース３７は、ハウジング保持スペース４２と、第一導体部載置スペース４３と、第二導体部載置スペース４４とで構成されている。
【００２２】
ハウジング保持スペース４２には、取り付け部２４を略矩形状の孔で貫通させたようなハウジング収容空間４５と、そのハウジング収容空間４５の開口縁部近傍に起立連成される保持壁４６、４６とが形成されている。保持壁４６、４６は、空間３２側に突出する壁であって、ハウジング収容空間４５を挟み相対向するように配置されている。保持壁４６、４６は、補強壁３５に連続するように形成されている。
【００２３】
第一導体部載置スペース４３には、後述する第一接続部材６１（図３参照）がハウジング収容空間４５を介して装着される装着空間４７が形成されている。装着空間４７は、空間３８側に設けられる突起４８、４８及び突起４９と、空間３９側に設けられる突起５０、５０及び突起５１、５１との間に形成されている。また、装着空間４７は、ハウジング収容空間４５及び空間３８、３９に連通するように形成されている。
【００２４】
突起４８、４８は、相対向して配設されており（保持壁４６、４６の配置と同じように対向する）、先端が円弧状に窪んだ形状に形成されている。また、突起４８、４８は、後述する第一接続部材６１（図３参照）が装着された際における第一接続部材６１（図３参照）の中心軸上（取り付けスペース３７の長手方向に直交する方向の中心軸）に配設されている。
【００２５】
突起４９は、取り付けスペース３７の長手方向に位置する端部に形成されており、先端が円弧状に窪んだ形状に形成されている。その先端の円弧は、突起４８、４８の先端の円弧と同じになっている。
【００２６】
突起５０、５０及び突起５１、５１は、空間３８側から見た平面視において（空間３９側から見ても同様）、各突起４８、４８の上記長手方向の両側に配設されている。また、突起５０、５０及び突起５１、５１は、突起４８、４８と同じ分だけ突出するように形成されている。尚、各先端には、上記と同様の円弧は形成されていない。
【００２７】
第二導体部載置スペース４４には、後述する第二接続部材６５（図４参照）がハウジング収容空間４５を介して装着される装着空間５２が形成されている。装着空間５２は、空間３８側に設けられる突条５３、５３と、空間３９側に設けられる受け壁５４との間に形成されている。また、装着空間５２は、ハウジング収容空間４５及び空間３８、３９に連通するように形成されている。
【００２８】
突条５３、５３は、上記長手方向に沿うとともに相対向して配設されている（保持壁４６、４６の配置と同じように対向する）。また、後述する第二接続部材６５（図４参照）が装着された際における第二接続部材６５（図４参照）の中心軸上（取り付けスペース３７の長手方向に直交する方向の中心軸）に位置するとともに、突出方向の先端中央には、円弧状に窪んだ凹み（引用符号は省略、以下同様）が形成されている。
【００２９】
受け壁５４は、ハウジング収容空間４５から取り付けスペース３７の長手方向に位置する端部（上記端部の逆側）にかけて延在する壁であって、第二接続部材６５（図４参照）の上記中心軸上となる位置には、空間３９に連通する円孔５５が貫通形成されている。円孔５５は、後述する雌ネジ６８（図４参照）よりも大きな径で形成されている。
【００３０】
尚、装着空間４７及び装着空間５２は、後述する第一接続部材６１（図３参照）及び第二接続部材６５（図４参照）のそれぞれの基部６２（図３参照）及び６６（図４参照）を略同一平面上に配設できるように構成されている（外部端子２２、２３（図１参照）をヒュージブルリンク２１（図１参照）に導通接続する際に、第一接続部材６１（図３参照）及び第二接続部材６５（図４参照）を視認しながら作業することができるという効果を得られる）。
【００３１】
切り欠き部４０、４１は、隔壁３３近傍から略Ｕ字状に切り欠いて形成した部分であり、外部端子２２、２３（図１参照）等に対する例えば作業空間として有用な切り欠きとなっている。
【００３２】
尚、取り付け部２４には、隔壁３３に連続する一対の保持壁５６、５６が形成されている。保持壁５６、５６は、空間３８側に形成されており、外部端子２２（図１参照）の一部が挿し込まれるようになっている。
【００３３】
図３（ａ）又は図３（ｂ）において、第一導体部載置スペース４３（図２参照）の装着空間４７（図２参照）に装着される第一接続部材６１は、基部６２とその基部６２を挟んだ両側に設けられる雄ネジ２６、２６とで構成されている。
【００３４】
基部６２は、略円柱状に形成されており、その外周縁には、平面視略矩形板状のフランジ６３が形成されている。フランジ６３の隅部分は面取りがなされている。尚、雄ネジ２６は、本形態において二つ設けられているが、一つであってもよいものとする。
【００３５】
図４（ａ）又は図４（ｂ）において、第二導体部載置スペース４４（図２参照）の装着空間５２（図２参照）に装着される第二接続部材６５は、基部６６とその基部６６の一端に連成されるフランジ６７とで構成されている。基部６６は、略円筒形状に形成されており、雌ネジ６８を有している。フランジ６７の隅部分は面取りがなされている。尚、第二接続部材６５は、既知のナットで代用することも可能である（回り止めを考慮する必要がある）。
【００３６】
図５において、上記ヒュージブルリンク２１は、金属溶断部材２５と、金属溶断部材２５に一体成形される樹脂ハウジング７１と、樹脂ハウジング７１に装着される透明カバー（不図示）とを備えて構成されている。
【００３７】
上記金属溶断部材２５は、導電性を有する金属板からプレス加工によって一体に形成される部材であって、第一導体部７２と、第二導体部７３と、溶断部７４とを有している。
【００３８】
第一導体部７２には、雄ネジ２６（図１参照）に対する組み付け孔７５が穿設されている。また、第二導体部７３には、ボルト２８対する組み付け孔７６が穿設されている。組み付け孔７５、７６は、ヒュージブルリンク２１の長手方向に沿う中心軸線上に配設されている。
【００３９】
第一導体部７２と第二導体部７３は、本形態において、同一形状であり回転対称位置に配置されている。
【００４０】
溶断部７４は、第一導体部７２及び第二導体部７３に連続しており、可溶体７７を有している。可溶体７７は、過大電流により溶断して回路を開放するようになっており、加締め片７８と、その加締め片７８を加締めて抱え込まれる例えばスズチップ７９と、若干細く形成されたくびれ部８０と、翼部８１とで構成されている。
【００４１】
上記樹脂ハウジング７１は、合成樹脂材により金属溶断部材２５に一体成形される略矩形枠形状の部材であって、第一〜第四補強壁８２〜８５を有している。また、第一〜第四補強壁８２〜８５によって溶断部７４を露出させる開口空間８６が形成されている。第一補強壁８２と第三補強壁８４は同一形状であり対称位置に配置形成されている。
【００４２】
第一補強壁８２は、第一導体部７２の表裏に跨って形成されており、その表裏における各側には、複数の放熱フィン８７が形成されている。また、開口空間８６側の壁面には、上記透明カバー（不図示）に対する受け部８８が上記各側に形成されている。
【００４３】
第二補強壁８３は、第一導体部７２及び第二導体部７３との間に跨って形成されている。また、第一導体部７２及び第二導体部７３の上記表裏に跨って形成されている。第二補強壁８３には、上記透明カバー（不図示）に対する係止部８９と受け部９０とが形成されている。
【００４４】
第三補強壁８４は、第二導体部７３の表裏に跨って形成されており、その表裏における各側には、複数の放熱フィン９１が形成されている。また、開口空間８６側の壁面には、上記透明カバー（不図示）に対する受け部９２が上記各側に形成されている。
【００４５】
第四補強壁８５は、第二補強壁８３に対向配置されるとともに、第一導体部７２及び第二導体部７３との間に跨って形成されている。また、第一導体部７２及び第二導体部７３の上記表裏に跨って形成されている。第四補強壁８５には、上記透明カバー（不図示）に対する受け部９３が形成されている。
【００４６】
図１（ａ）又は図１（ｂ）において、上記外部端子２２は、略矩形状の電気接触部９５と、その電気接触部９５に連成される電線接続部９６とで板端子状に構成されている。電気接触部９５には、雄ネジ２６に対する組み付け孔９７が穿設されている。また、保持壁５６、５６に挿し込まれる突出部９８が形成されている。電線接続部９６には、加締めによって電線９９が導通接続及び固定されている。
【００４７】
図１（ａ）又は図１（ｂ）において、上記外部端子２３は、略リング状の電気接触部１００と、その電気接触部１００に連成される電線接続部１０１とで板端子状に構成されている。電気接触部１００には、ボルト２８に対する組み付け孔１０２が穿設されている。電線接続部１０１には、加締めによって電線１０３が導通接続及び固定されている。
【００４８】
次に、ヒュージブルリンク２１が取り付け部２４に保持されるまでの組み付け工程を図６及び図７を参照しながら説明する。
【００４９】
図６は組み付け工程を説明するための図面であり、（ａ）は取り付け部に第一接続部材と第二接続部材を組み付けた状態の平面図、（ｂ）は（ａ）の要部断面図、図７は組み付け工程を説明するための図面であり、（ａ）は取り付け部に第一接続部材と第二接続部材を組み付けた状態の平面図、（ｂ）は（ａ）の要部断面図を示している。
【００５０】
図６において、先ず、第一接続部材６１を装着空間４７に装着する作業を行う。次いで、第二接続部材６５を装着空間５２に装着する作業を行う。
【００５１】
第一接続部材６１の装着は、ハウジング収容空間４５を介して行われる。第一接続部材６１のフランジ６３が装着空間４７をスライドすることで装着がなされる。また、第一接続部材６１は、フランジ６３によって回り止めがなされる。第一接続部材６１の基部６２は、突起４８、４８及び突起４９の先端により保持され、第一接続部材６１自体がハウジング収容空間４５に戻ってしまうことはない。
【００５２】
第二接続部材６５の装着も第一接続部材６１の装着と同様に、ハウジング収容空間４５を介して行われる。第二接続部材６５のフランジ６７が装着空間５２をスライドすることで装着がなされる。また、第二接続部材６５は、フランジ６７によって回り止めがなされる。第二接続部材６５の基部６６は、突条５３、５３の上記凹みにより保持され、第二接続部材６５自体がハウジング収容空間４５に戻ってしまうことはない。第二接続部材６５が装着されると、円孔５５の位置に雌ネジ６８が一致する。
【００５３】
図７において、第一接続部材６１及び第二接続部材６５の装着が完了すると、ヒュージブルリンク２１を取り付けスペース３７に保持させる作業を行う。
【００５４】
また、雄ネジ２６に組み付け孔７５を介して第一導体部７２を挿通する作業を行う。この時、樹脂ハウジング７１は、ハウジング収容空間４５に保持される。また、第二導体部７３の組み付け孔７６は、自ずと雌ネジ６８の位置に一致する。
この状態において、ヒュージブルリンク２１は、取り付け部２４に対して着脱可能である。
【００５５】
続いて、ヒュージブルリンク２１と外部端子２２、２３の接続について図８及び図１を参照しながら説明する。
図８は外部端子の接続に係る説明図であり、（ａ）は図７の状態から外部端子を所定位置にセットした状態の平面図、（ｂ）は（ａ）の要部断面図を示している。
【００５６】
図８において、雄ネジ２６に組み付け孔９７を介して外部端子２２を挿通する作業を行う。また、外部端子２３の組み付け孔１０２を第二導体部７３の組み付け孔７６に一致させる作業を行う。
【００５７】
外部端子２２においては、突出部９８が保持壁５６、５６間に挿し込まれる。また、第一導体部７２に接触状態となる。外部端子２３においては、その外部端子２３が第二導体部７３に接触状態となる。
【００５８】
図１において、外部端子２２、２３のセットが完了すると、雄ネジ２６にナット２７を螺合させる作業を行う。また、ボルト２８を螺合させる作業を行う。ナット２７及びボルト２８の螺合が完了すると、外部端子２２、２３がヒュージブルリンク２１に導通接続される。
【００５９】
以上、図１ないし図８までを参照しながら説明したように、本形態の接続構造によれば、外部端子２２、２３の接続に端子接続用のナット２７と端子接続用のボルト２８が用いられることから、外部端子２２、２３の接続位置が明確になり、誤組み付けが防止される。
【００６０】
その他、本発明は本発明の主旨を変えない範囲で種々変更実施可能なことは勿論である。
【００６１】
尚、空間３９側からも当然に他の外部端子を第一接続部材６１及び第二接続部材６５に接続することができる。
【００６２】
【発明の効果】
以上説明したように、請求項１に記載された本発明によれば、外部端子の接続には、取り付けスペースの平面中央に位置し、貫通された孔よりなるハウジング収容空間を介して該ハウジング収容空間に同一平面に長手方向の一側に連通された一方の装着空間に略円柱状の基部がスライドされて保持される雄ネジを有する第一接続部材と、前記ハウジング収容空間に同一平面に長手方向の他側に連通された他方の装着空間に基部がスライド装着されて保持される雌ネジを有する第二接続部材と、を備えているので、外部端子の接続位置が明確になり、誤組み付けが防止される。そして、外部端子をヒュージブルリンクに導通接続させるには、前記第一導体部又は前記第二導体部の何れか一方に、前記第一接続部材の前記雄ネジを挿通して端子接続用のナットを螺合させる。また、第一導体部又は第二導体部のいずれか他方に、第二接続部材の雌ネジに螺合する端子接続用のボルトを挿通し、そのボルトを雌ネジに螺合させる。しかも、端子接続用のナットと端子接続用のボルトとは基部が取り付け部に同一平面にスライドされ、装着されるので、取付作業性が向上されるとともに、ボルトとナットとの外部端子に対する締付け操作が容易かつ確実になる。そして、端子接続用のナットと端子接続用のボルトがそれぞれ対応する外部端子を締め付けることから、外部端子がヒュージブルリンクに接続固定される。しかも、取り付け部の外部端子の挿入側に設けた隔壁には、連続する一対の保持壁が形成されているので、該保持壁間に設けた収容空間内に外部端子の一部を挿し込めば、外部端子の一部のみが保持壁間の挿入が許容される。従って、複数の外部端子とヒュージブルリンクと誤組み付けを確実に防止することができる。
【００６３】
請求項２に記載された本発明によれば、第一接続部材及び第二接続部材のそれぞれの基部を略同一平面上に配設していることから、外部端子をヒュージブルリンクに導通接続する際に、第一接続部材及び第二接続部材を視認しながら作業することができる。
従って、請求項１の効果の他に、作業性の向上にも寄与するヒュージブルリンクと外部端子の接続構造を提供することができるという効果を奏する。
【図面の簡単な説明】
【図１】本発明によるヒュージブルリンクと外部端子の接続構造の一実施の形態を示しており、（ａ）は取り付け部に保持されたヒュージブルリンクに外部端子を接続した状態の平面図、（ｂ）は（ａ）の要部断面図である。
【図２】ヒュージブルリンクの取り付け相手先となる取り付け部を示しており、（ａ）は取り付け部の平面図、（ｂ）は（ａ）の要部断面図である。
【図３】第一接続部材を示しており、（ａ）は第一接続部材の平面図、（ｂ）は第一接続部材の正面図である。
【図４】第二接続部材を示しており、（ａ）は第二接続部材の平面図、（ｂ）は第二接続部材の正面図である。
【図５】ヒュージブルリンクの平面図（円内は溶断部付近の拡大図）である。
【図６】組み付け工程を説明するための図面であり、（ａ）は取り付け部に第一接続部材と第二接続部材を組み付けた状態の平面図、（ｂ）は（ａ）の要部断面図である。
【図７】組み付け工程を説明するための図面であり、（ａ）は図６の状態からヒュージブルリンクを取り付け部に保持させた状態の平面図、（ｂ）は（ａ）の要部断面図である。
【図８】外部端子の接続に係る説明図であり、（ａ）は図７の状態から外部端子を所定位置にセットした状態の平面図、（ｂ）は（ａ）の要部断面図である。
【図９】従来例のヒュージブルリンクと外部端子の接続構造を示す断面図である。
【符号の説明】
２１  ヒュージブルリンク
２２、２３  外部端子
２４  取り付け部
２５  金属溶断部材
２６  雄ネジ
２７  ナット
２８  ボルト
３１  リレーボックス
３２  ケース
３３、３４  隔壁
３５、３６  補強壁
３７  取り付けスペース
３８、３９空間
４０、４１切り欠き部
４２  保持スペース
４３  第一導体載置スペース
４４  第二導体載置スペース
４５  ハウジング収容空間
４６  保持壁
４７  装着空間
４８、４９、５０、５１  突起
５２  装着空間
５３  突条
５４  受け壁
５５  円孔
５６  保持壁
６１  第一接続部材
６２  基部
６３  フランジ
６５  第二接続部材
６６  基部
６７  フランジ
６８  雌ネジ
７１  樹脂ハウジング
７２  第一導体部
７３  第二導体部
７４  溶断部
７５、７６  組み付け孔
７７  可溶体
７８  加締め片
７９  スズチップ
８０  くびれ部
８１  翼部
８２  第一補強壁
８３  第二補強壁
８４  第三補強壁
８５  第四補強壁
８６  開口空間
８７  放熱フィン
８８  受け部
８９  係止部
９０  受け部
９１  放熱フィン
９２、９３  受け部
９５  電気接触部
９６  電線接続部
９７  組み付け孔
９８  突出部
９９  電線
１００  電気接触部
１０１  電線接続部
１０２  組み付け孔
１０３  電線
【図１】
0003914361.tif 000002
【図２】
0003914361.tif 000003
【図３】
0003914361.tif 000004
【図４】
0003914361.tif 000005
【図５】
0003914361.tif 000006
【図６】
0003914361.tif 000007
【図７】
0003914361.tif 000008
【図８】
0003914361.tif 000009
【図９】
0003914361.tif 000010